(57)【要約】 【課題】  熱充填可能で、密封性が改善されたキャップを提供する。【解決手段】  容器の口部に装着されるキャップ本体と、キャップ本体の開口部を閉塞する蓋体とからなるキャップであって、キャップ本体は、容器の口部に装着される装着部と、装着部から内方に延設され、注出口が開口された基壁と、基壁から立設された注出筒とを備え、注出筒は、内周下部に段部を形成して縮径された開口面を有し、蓋体は、頂壁と、頂壁の周縁部に垂設される側周壁と、頂壁の内面から垂設されるシール筒とを備え、シール筒は、閉蓋時に注出筒の内周面に挿入されて密封状態とするシール部が形成されるとともに、シール筒の下部外周側に段部を形成して縮径された下部シール筒が設けられ、下部シール筒は、閉蓋時において、注出筒の開口面に近接あるいは当接し、下部シール筒と開口面とで仮シール部が形成されることを特徴とする。【選択図】  図１
2019116318.tif 000002
【特許請求の範囲】
【請求項１】
容器の口部に装着されるキャップ本体と、キャップ本体の開口部を閉塞する蓋体とからなるキャップであって、
キャップ本体は、容器の口部に装着される装着部と、装着部から内方に延設され、注出口が開口された基壁と、基壁から立設された注出筒とを備え、
注出筒は、内周下部に段部を形成して縮径された開口面を有し、
蓋体は、頂壁と、頂壁の周縁部に垂設される側周壁と、頂壁の内面から垂設されるシール筒とを備え、
シール筒は、閉蓋時に注出筒の内周面に挿入されて密封状態とするシール部が形成されるとともに、
シール筒の下部外周側に段部を形成して縮径された下部シール筒が設けられ、
下部シール筒は、閉蓋時において、注出筒の開口面に近接あるいは当接し、下部シール筒と開口面とで仮シール部が形成されることを特徴とするキャップ。
【請求項２】
下部シール筒は、閉蓋時に、少なくとも一部が注出筒の開口面に当接することを特徴とする請求項１に記載のキャップ。
【請求項３】
注出筒の開口面に内方への下り勾配の傾斜部を形成し、下部シール筒の外周先端部が傾斜部に当接することを特徴とする請求項２に記載のキャップ。
【請求項４】
下部シール筒は、外周面に突条部を形成し、突条部で開口面に当接することを特徴とする請求項２に記載のキャップ。
【請求項５】
下部シール筒は、外周面の一部に切欠き部が形成され、切欠き部で開口面に近接し、切欠き部以外で開口面に当接することを特徴とする請求項２に記載のキャップ。
【請求項６】
切欠き部は、間欠的に複数形成されることを特徴とする請求項５に記載のキャップ。
【請求項７】
シール筒の段部と、注出筒の段部との間に空間が設けられ、液だめ部とすることを特徴とする請求項１〜６のいずれかに記載のキャップ。
【請求項８】
蓋体は、頂壁の内面から垂設され、シール筒の外側に位置し、注出筒より大径の外筒を有し、
キャップ本体の基壁は、閉蓋時に、蓋体の外筒先端部が底面に近接する係合凹所を有することを特徴とする請求項１〜７のいずれかに記載のキャップ。
【請求項９】
キャップ本体の注出筒の外側の基壁上面に案内突条が立設され、案内突条は蓋体の外筒の内側に近接して設けられることを特徴とする請求項８に記載のキャップ。
【請求項１０】
キャップは、キャップ本体とヒンジを介して連設された蓋体とからなるヒンジキャップであることを特徴とする１〜９のいずれかに記載のキャップ。
【請求項１１】
下部シール筒は、外周面のヒンジ側に切欠き部が形成され、切欠き部で開口面に近接し、切欠き部以外で開口面に当接することを特徴とする請求項１０に記載のキャップ。
【発明の詳細な説明】
【技術分野】
【０００１】
本発明は、容器の口部に装着されるキャップに関し、とくに通常のシール部の下に仮シール部を設けて二段のシールにより密封されるキャップに関するものである。
【背景技術】
【０００２】
従来、容器の口部に装着されるキャップ本体と、キャップ本体の開口部を閉塞する蓋体とを備えるキャップにおいて、容器の密閉性を確保するために、キャップ本体の開口予定部にプルリングなどを形成した除去部を有する隔壁を設けていた。
しかし、除去部を開口するために、蓋体を開けた後、プルリングなどを引っ張って除去部を除去する抜栓作業が必要となり、面倒であるとともに力の弱い利用者にとっては抜栓に苦労するという問題があった。
【０００３】
このため、抜栓作業を必要としないキャップとして、キャップ本体の注出筒を密封するために、インナーリングを有する内蓋を外蓋で摺動可能に保持し、外蓋の動きに連動して、内蓋を注出筒の口部から着脱する、ワンアクションで開封して内容液を取り出すことが可能なヒンジキャップが従来から知られている（例えば、特許文献１参照）。
【先行技術文献】
【特許文献】
【０００４】
【特許文献１】特開２０１４−１６２４９９号公報
【発明の概要】
【発明が解決しようとする課題】
【０００５】
しかしながら、特許文献１記載のキャップは、一回の動作で開封可能であるという開封性を改善することに重点があって、消費者が内容液を使用する前に、容器を落下させた際の衝撃で、容器内の内容液が蓋体の内面に付着したり、液が漏れてしまうという問題があった。
また、上記のキャップは、主に常温での内容液の充填に使用され、熱充填の際の内容液の噴出防止性において十分でないという問題があった。
【０００６】
本発明は、上記問題を解決することを課題とし、容器の落下等の衝撃により、キャップ本体の注出筒とシール筒とのシール部分から液が漏れてしまうことを防止するとともに、熱充填も可能とするキャップを提供することを目的とする。
【課題を解決するための手段】
【０００７】
本発明は、上記の課題を解決するため、キャップとして、容器の口部に装着されるキャップ本体と、キャップ本体の開口部を閉塞する蓋体とからなるキャップであって、キャップ本体は、容器の口部に装着される装着部と、装着部から内方に延設され、注出口が開口された基壁と、基壁から立設された注出筒とを備え、注出筒は、内周下部に段部を形成して縮径された開口面を有し、蓋体は、頂壁と、頂壁の周縁部に垂設される側周壁と、頂壁の内面から垂設されるシール筒とを備え、シール筒は、閉蓋時に注出筒の内周面に挿入されて密封状態とするシール部が形成されるとともに、シール筒の下部外周側に段部を形成して縮径された下部シール筒が設けられ、下部シール筒は、閉蓋時において、注出筒の開口面に近接あるいは当接し、下部シール筒と開口面とで仮シール部が形成されることを特徴とする構成を採用する。
【０００８】
キャップの実施形態として、下部シール筒は、閉蓋時に、少なくとも一部が注出筒の開口面に当接することを特徴とする構成、注出筒の開口面に内方への下り勾配の傾斜部を形成し、下部シール筒の外周先端部が傾斜部に当接することを特徴とする構成、下部シール筒は、外周面に突条部を形成し、突条部で開口面に当接することを特徴とする構成、下部シール筒は、外周面の一部に切欠き部が形成され、切欠き部で開口面に近接し、切欠き部以外で開口面に当接することを特徴とする構成、切欠き部は、間欠的に複数形成されることを特徴とする構成を採用する。
【０００９】
キャップの具体的実施形態として、シール筒の段部と、注出筒の段部との間に空間が設けられ、液だめ部とすることを特徴とする構成、蓋体は、頂壁の内面から垂設され、シール筒の外側に位置し、注出筒より大径の外筒を有し、キャップ本体の基壁は、閉蓋時に、蓋体の外筒先端部が底面に近接する係合凹所を有することを特徴とする構成、キャップ本体の注出筒の外側の基壁上面に案内突条が立設され、案内突条は蓋体の外筒の内側に近接して設けられていることを特徴とする構成を採用する。
【００１０】
さらに、キャップの具体的実施形態として、キャップ本体とヒンジを介して連設された蓋体とからなるヒンジキャップであることを特徴とする構成、下部シール筒は、外周面のヒンジ側に切欠き部が形成され、切欠き部で開口面に近接し、切欠き部以外で開口面に当接することを特徴とする構成を採用する。
【発明の効果】
【００１１】
本発明のキャップは、上記構成を採用することにより、シール部と仮シール部とによる二段のシールにより密封性が向上し、熱充填において内容液の噴出防止性が改善され、閉蓋中の落下等の衝撃により、仮シール部に少量の内容液が侵入したとしても、シール部の手前に液だめ部が設けられているので、通常のシール部から内容液が漏れることがない。
また、一度のアクションの閉蓋で、シール部と仮シール部の二段のシールができるとともに、開蓋時にも簡単に注出口を開口することができる。
【００１２】
さらに、容器の落下等により、蓋体に衝撃を受けた場合には、蓋体の外筒の先端部が基壁上面の係合凹所に係合するので、蓋体の変形を防止することができる。
【図面の簡単な説明】
【００１３】
【図１】本発明の第１実施例のキャップを容器に装着した状態を示す図であり、（ａ）は側面断面図で、（ｂ）は要部拡大図である。
【図２】本発明の第１実施例のキャップの開蓋状態を示す図で、（ａ）は上面図で、（ｂ）は側面断面図である。
【図３】本発明の第１実施例のキャップを分別廃棄する際、途中の経過の状態を示す上面図である。
【図４】本発明の第１実施例の変形例を示す要部拡大図である。
【図５】本発明の第２実施例の下部シール筒と開口面との仮シール部を示す要部拡大図である。
【図６】本発明の第３実施例の下部シール筒と開口面との仮シール部を示す要部拡大図である。
【図７】本発明の第４実施例のキャップを容器に装着した状態を示す側面断面図である。
【図８】（ａ）は図７の要部拡大図であり、（ｂ）は（ａ）の下面図である。
【発明を実施するための形態】
【００１４】
本発明のキャップについて、ヒンジキャップとして具体化した実施例を示した図面を参照して説明する。
【実施例１】
【００１５】
図１において、Ａは容器、Ｂは容器Ａに装着されるキャップ本体、Ｃはヒンジ、ＤはヒンジＣを介してキャップ本体Ｂに開閉可能に取り付けられた蓋体である。
容器Ａは、上部に口部１を有し、口部１の外周面には、嵌合突条２が設けられている。
【００１６】
キャップ本体Ｂは、図１および図２に示すように、容器Ａの口部１に装着される装着部３と、装着部３の内縁上端から内方に延設され、口部１の開口を封鎖する基壁４と、基壁４を貫通する注出口の周囲から立設される注出筒５とを備えている。
注出筒５の下部の内周側が拡径され、段部５ａが設けられ、突設された開口面５ｂが形成されている。
また、注出筒５は、内容液を注ぎ易くするために、本実施例では、ヒンジＣと反対側（注出側）は、ヒンジＣ側よりも高く形成され、リップ部５ｃは、ラッパ状に広がっている。
【００１７】
装着部３は、周縁に係止突条６が設けられ、蓋体Ｄと係合する環状の蓋係合部７と、蓋係合部７の内周側から垂設される内筒８と、蓋係合部７の外周側から垂設される外周壁部９とから構成されている。
外周壁部９は、内周下部に容器Ａの口部１の嵌合突条２と係合する係合突部１０が設けられている。
【００１８】
外周壁部９のヒンジＣの左右いずれかの近傍には、図２に示すように、外周面に平面視で略Ｖ字状の外周切り込み部１１が下端部に薄肉底壁１２を残して上方から切り込まれている。
係合突部１０の外周切り込み部１１に対応する位置には、図示しないが内周切り込み部が縦方向に刻設され、縦方向引き裂きラインが形成される。
【００１９】
外周切り込み部１１のヒンジＣ側では、端面１１ａの内周側の上部の薄肉部を隔てた位置を起点として円周方向に延びるように、スリット溝１３が上方から凹設され、本実施例では、端面１１ａを始点として、約３４５°にわたって延びている。
また、縦方向引き裂きラインに隣接するスリット溝１３の起点を引き裂き開始点として、スリット溝１３の底面１４の内周側には、外周壁部９と蓋係合部７を連結する薄肉の連結部１５が設けられ、周方向引き裂きラインが円弧状に延びるように形成され、終点の破断不能な連結部まで引き裂き可能となっている。
【００２０】
本実施例では、基壁４の上面には、注出筒５の外側に案内突条１６が立設され、案内突条１６の外周側下部には係合凹所１７が周設されている。
係合凹所１７は、蓋体Ｄに衝撃を受けた場合に、後述する蓋体Ｄの外筒２３の先端部２３ａが係合する。
なお、本実施例では案内突条１６は全周に設けられているが、ヒンジＣ側のみでも構わない。
【００２１】
蓋体Ｄは、図１および図２に示すように、ヒンジＣを介してキャップ本体Ｂの外周壁部９の外周上端に、回動自在に取着されており、頂壁２０と、頂壁２０の周縁部から垂設された側周壁２１とを備えている。
頂壁２０は、内面からシール筒２２と、シール筒２２の外側に位置し、注出筒５より大径の外筒２３とが垂設されている。
【００２２】
シール筒２２は、閉蓋時に注出筒５の内周面に挿入されて密封状態とする通常のシール部ａが形成されるとともに、シール筒２２の下部外周側に段部２２ａを形成して縮径された下部シール筒２２ｂが設けられ、下部シール筒２２ｂは、閉蓋時において、注出筒５の内周下部に突設された開口面５ｂに近接あるいは当接するように形成されており、下部シール筒２２ｂと開口面５ｂとで、シール部ａの下にもう一つの仮シール部ｂが形成される。
シール部ａと仮シール部ｂとの二段のシールでキャップが密封されるので、衝撃により、片方のシールが外れる場合にも、他方のシールによりシールされ、液が漏れることがない。
また、シール筒２２の段部２２ａと注出筒５の段部５ａとの間に空間が設けられ、容器の落下等による衝撃を受けて、仮シール部ｂに少量の内容液が侵入したときの液だめ部ｃとなって内容液をとどめることができる。
さらに、シール筒２２の段部２２ａに、図４に示すように、凹部２２ｅを設けて液だめ部ｃを広くすることができる。
なお、図１（ｂ）は、開口面５ｂに下部シール筒２２ｂが近接して仮シール部ｂが形成されるものであるが、仮シール部ｂは開口面５ｂの垂直面に下部シール筒２２ｂが全周にわたって当接するものであってもよい。
【００２３】
外筒２３の先端部２３ａは、閉蓋時にキャップ本体Ｂの基壁４の案内突条１６に案内され、係合凹所１７に挿入されるとともに、下面が係合凹所１７の底面に近接するように形成されている。
【００２４】
側周壁２１の下端部は、内周側に、キャップ本体Ｂの蓋係合部７の内周側と係合する係止凸部２４が垂設され、中央に、蓋係合部７の係止突条６と係合して閉蓋状態を維持する係合凹部２５が周設されている。
側周壁２１のヒンジＣと反対側の外周には、周方向に円弧状の把手部２６が延設され、把手部２６の中央部下面には指掛け部２７が設けられている。
【００２５】
なお、本実施例のヒンジキャップは、使用前の不正開封を防止するために、図示していないが、キャップ本体Ｂと蓋体Ｄとの間にシュリンクラベルや封緘部材等が設けられている。
また、本実施例では、キャップの具体例として、ヒンジキャップについて説明したが、本実施例に限らず、キャップ本体と蓋体とを備えるネジキャップであっても構わない。
【００２６】
次に、本実施例の使用態様と作用効果について説明する。
本実施例のヒンジキャップは、最初に、図２に示す状態から、蓋体ＤをヒンジＣを介して回動し、キャップ本体Ｂに被せ、閉蓋する。
【００２７】
その際、蓋体Ｄのシール筒２２の外周下部は、キャップ本体Ｂの注出筒５の内周に密着して、シール部ａが形成されるとともに、シール筒２２の外周下部の下部シール筒２２ｂは、内周面が注出筒５の開口面５ｂに近接あるいは当接して仮シール部ｂが形成される。
また、閉蓋途中に、蓋体Ｄの外筒２３は、ヒンジＣ側からキャップ本体Ｂの基壁４の案内突条１６に向かって下降し、その後、外筒２３は、案内突条１６の外周面に案内されながら、外筒２３の先端部２３ａが基壁４の係合凹所１７内に挿入され、係合凹所１７の底面に近接する。
なお、基壁４に立設された案内突条１６は、省略しても構わない。
【００２８】
次に、図１に示すように、閉蓋したヒンジキャップは、内容液が充填された容器Ａの口部１に打栓して装着される。
打栓工程は、装着部３の内筒８と外周壁部９との間に形成された環状溝に容器Ａの口部１を当てがい、蓋体Ｄの上から押圧力が加えられ、外周壁部９の係合突部１０が口部１の嵌合突条２を乗り越えて嵌合し、容器Ａの口部１が内筒８の外周と外周壁部９の内周、および蓋係合部７とによって挟持されることで装着される。
【００２９】
なお、本実施例では、装着部３は、内筒８の外周と外周壁部９の内周、および基壁４とによって容器Ａの口部１を狭持するものとしたが、容器Ａの口部１の外周に雄ネジを形成するとともに、外周壁部９の内周に雌ネジを形成することによって螺着するものであっても構わない。
【００３０】
本実施例のヒンジキャップは、閉蓋状態で、蓋体Ｄのシール筒２２は、キャップ本体Ｂの注出筒５の内周とのシール部ａと、下部シール筒２２ｂと注出筒５の開口面５ｂとの仮シール部ｂとの二段でシールされ、一方のシールが衝撃で外れる場合にも、他方のでシールされ、容器Ａの気密性が保たれるとともに、落下等に受ける衝撃により、仮シール部ｂに内容液が侵入しても、液だめ部ｃがあるので、内容液がとどめられてシール部ａから内容液が漏れることがない。
【００３１】
本実施例のヒンジキャップは、閉蓋した状態で、落下等の衝撃により、蓋体Ｄに上側から押圧力が加えられると、蓋体Ｄがキャップ本体Ｂに対して押し込まれるが、蓋体Ｄの側周壁２１の下端部に設けられた係止凸部２４は、キャップ本体Ｂの蓋係合部７の内周側と係合していることにより、蓋体Ｄの側周壁２１の下端部が外側に広がって変形することを防止できる。
【００３２】
また、落下等の衝撃により、蓋体Ｄの側方から押圧力が加えられても、外筒２３の先端部２３ａが基壁４の係合凹所１７に係合して固定されるので、衝撃で蓋体Ｄと一緒にシール筒２２が動いてしまうことを防止することができる。
【００３３】
容器Ａ内の内容液を初めて使用するために、ヒンジキャップを最初に開蓋する際には、図示しないが、キャップ本体Ｂと蓋体Ｄとの間に設けられたシュリンクラベルや封緘部材を取り外す必要がある。
【００３４】
次に、蓋体Ｄの指掛け部２７に手指を掛け、把手部２６を持ち上げると、まず蓋体Ｄのシール筒２２の下部シール筒２２ｂが注出筒５の下部の開口面５ｂとの仮シール部ｂが外れ、つづいてシール筒２２は、キャップ本体Ｂの注出筒５とのシール部ａが外れ、蓋体Ｄが開蓋されることにより、容器Ａを傾けただけで、容易に注出筒５から容器Ａ内の内容液を注出することができる。
また、蓋体Ｄは、側周壁２１に設けられた係合凹部２５のヒンジＣと反対側が薄肉に形成されているので、開蓋時に把手部２６を持ち上げると、側周壁２１の係合凹部２５が変形して、蓋係合部７の係止突条６に対する抵抗が少なくなり、スムースに開蓋することができる。
【００３５】
蓋体Ｄをキャップ本体Ｂに再び閉蓋することで、蓋体Ｄのシール筒２２の下部シール筒２２ｂが注出筒５の開口面５ｂに近接して仮シール部ｂを形成するとともに、シール筒２２の外周がキャップ本体Ｂの注出筒５の内周に密着してシール部ａが形成され、キャップ本体Ｂ内を密封することができ、ヒンジキャップは、繰り返し蓋体Ｄを開閉して使用することができる。
【００３６】
本実施例のヒンジキャップは、容器Ａ内の内容液を全部使用した後、容器Ａの口部１から分別して廃棄することができる。
その際には、ヒンジキャップを開蓋し、蓋体Ｄを指で把持して外方に引っ張ると、外周壁部９のヒンジＣとの連設部位が引っ張られて変形し、縦方向引き裂きラインが破断され、さらに蓋体Ｄを引っ張ると、周方向引き裂きラインを形成する連結部１５が破断を始める。図３に示すように、連結部１５の破断が進行すると、蓋体Ｄがキャップ本体Ｂから離れていく。
スリット溝１３の終端部まで連結部１５の切断が完了し、さらに蓋体Ｄを引っ張ると、キャップ本体Ｂと容器Ａの口部１との嵌合が外され、ヒンジキャップと容器Ａとを分別廃棄することができる。
【実施例２】
【００３７】
次に、注出筒５の開口面５ｂの構成を変更した第２実施例について、説明する。
以下、第１実施例と同一部分には、同一の符号を付し、相違点を中心に説明する。
【００３８】
図５に示すように、開口面５ｂに内方への緩やかな下り勾配の傾斜部５ｄを形成し、下部シール筒２２ｂは、閉蓋時において、その外周側先端部のみが傾斜部５ｄに当接するようにして仮シール部ｂが形成されている。
【００３９】
次に、本実施例の使用態様と作用効果について説明する。
本実施例では、開口面５ｂの傾斜部５ｄに対し、下部シール筒２２ｂの外周側先端部のみが当接するため、近接のみの場合より仮シール部ｂのシール性がよくなるとともに、当接部分が少ないため、蓋体Ｄを開蓋する際に、全面的に当接している場合に比べて開蓋が容易になる。
その他の構成と作用効果は、第１実施例と同じである。
なお、本実施例では開口面５ｂ全体に傾斜部５ｄが設けられているが、当接する部分が傾斜部５ｄとなっていればよく、開口面５ｂ全体である必要はない。
また、傾斜部５ｄを開口面５ｂの全周に形成しないで、部分的に形成するものであってもよい。
【実施例３】
【００４０】
次に、下部シール筒２２ｂの構成を変更した第３実施例について、説明する。
以下、第１実施例と同一部分には同一の符号を付し、相違点を中心に説明する。
【００４１】
図６に示すように、下部シール筒２２ｂの外周側に突条部２２ｃを設けて、閉蓋時において、下部シール筒２２ｂは、突条部２２ｃにおいて開口面５ｂに当接するようにして仮シール部ｂが形成されている。
突条部２２ｃは、下部シール筒２２ｂの全周にする必要がなく、間欠的に突条部２２ｃを設けてもよい。
【００４２】
次に、本実施例の使用態様と作用効果について説明する。
本実施例では、下部シール筒２２ｂに設けた突条部２２ｃで開口面５ｂに当接するので、仮シール部ｂのシール性がよくなり、また、突条部２２ｃが間欠的に設けられている場合には、蓋体Ｄの開蓋が容易となる。
その他の構成と作用効果は、第１実施例と同じである。
なお、突条部２２ｃはヒンジＣと反対側のみに設けてもよく、その場合は突条部２２ｃ以外は開口面５ｂに近接している。
【実施例４】
【００４３】
次に、下部シール筒２２ｂの構成を変更した第４実施例について説明する。
以下、第１実施例と同一部分には同一の符号を付し、相違点を中心に説明する。
【００４４】
図７および図８に示すように、下部シール筒２２ｂのヒンジＣ側を切り欠いて切欠き部２２ｄを形成し、閉蓋時において、下部シール筒２２ｂは、切欠き部２２ｄにおいて開口面５ｂに近接し、切欠き部２２ｄ以外では開口面５ｂに当接するようにして仮シール部ｂが形成されている。
【００４５】
次に、本実施例の使用態様と作用効果について説明する。
本実施例では、下部シール筒２２ｂの外周面と、注出筒５の開口面５ｂとの間で近接部分と当接部分とを有しており、仮シール部ｂのシール性がよくなるとともに、全面的に当接していないので、蓋体Ｄの開蓋の際に、開蓋に要する力が軽減される。
また、ヒンジＣ側に切欠き部２２ｄが形成されているので、蓋体Ｄを閉蓋する際に、下部シール筒２２ｂのヒンジＣ側の外周先端部が注出筒５に接触したりすることがなく、閉蓋が容易である。
その他の構成と作用効果は、第１実施例と同じである。
なお、本実施例では、切欠き部２２ｄはヒンジＣ側のみとしたが、切欠き部２２ｄをヒンジＣ側以外にも設けることができる。
また、キャップ本体Ｂと蓋体Ｄとを備えるネジキャップの場合には、下部シール筒２２ｂの外周面に、切欠き部２２ｄを間欠的に複数設けることができる。
【産業上の利用可能性】
【００４６】
本発明のキャップは、シール筒と注出筒とによるシール部と、下部シール筒と注出筒下部の開口面とによる仮シール部との二段のシールにより密封され、密封性が向上して熱充填における内容液の噴出防止性が改善される。
また、閉蓋中の落下等の衝撃により、蓋体に外力が加わり、仮シール部内に内容液が侵入しても液だめ部に内容液がとどまり、シール部から内容液が漏れることがない。
また、何度でも開閉が容易で、しかもリシール性に優れ、常温充填および熱充填のどちらでも使用可能であり、気密性の必要な内容液を収納する容器用のキャップとして広い範囲に応用できる。
【符号の説明】
【００４７】
Ａ              容器
Ｂ              キャップ本体
Ｃ              ヒンジ
Ｄ              蓋体
ａ              シール部
ｂ              仮シール部
ｃ              液だめ部
１              口部
２              嵌合突条
３              装着部
４              基壁
５              注出筒
５ａ            段部
５ｂ            開口面
５ｃ            リップ部
５ｄ            傾斜部
６              係止突条
７              蓋係合部
８              内筒
９              外周壁部
１０              係合突部
１１              外周切り込み部
１１ａ            端面
１２              薄肉底壁
１３              スリット溝
１４              底面
１５              連結部
１６              案内突条
１７              係合凹所
２０              頂壁
２１              側周壁
２２              シール筒
２２ａ            段部
２２ｂ            下部シール筒
２２ｃ            突条部
２２ｄ            切欠き部
２２ｅ            凹部
２３              外筒
２３ａ            先端部
２４              係止凸部
２５              係合凹部
２６              把手部
２７              指掛け部
【図１】
2019116318.tif 000003
【図２】
2019116318.tif 000004
【図３】
2019116318.tif 000005
【図４】
2019116318.tif 000006
【図５】
2019116318.tif 000007
【図６】
2019116318.tif 000008
【図７】
2019116318.tif 000009
【図８】
2019116318.tif 000010